(57)【要約】      （修正有）【課題】装飾体とバチカンとの位置関係を固定せず、これを変えることができる構造とした装身具を提供する。【解決手段】装飾体にバチカンを備えてなる装身具であって、当該装飾体にレールを備え、バチカンの基部をこのレールにスライド可能に嵌め込んだ装身具であり、レールは一対或いは一本レールであり、これに対し、バチカンの基部がレール間に挟まり、或いはこれを跨ぐ構造としてバチカンを装飾体に対してスライド可能とした。【選択図】図３
0003146841.tif 000002
【実用新案登録請求の範囲】
【請求項１】
装飾体にバチカンを備えてなる装身具であって、当該装飾体にレールを備え、バチカンの基部をこのレールにスライド可能に嵌め込んだことを特徴とする装身具。
【請求項２】
レールを装飾体の裏側に備えた請求項１記載の装身具。
【請求項３】
レールを装飾体の側面に備えた請求項１記載の装身具。
【請求項４】
レールが一対又は一本である請求項１乃至３いずれか１記載の装身具。
【請求項５】
一対のレールに対しバチカンの基部を内装してスライド可能とした請求項１乃至３いずれか１記載の装身具。
【請求項６】
一本のレールに対しバチカンの基部を跨がせてスライド可能とした請求項１乃至３いずれか１記載の装身具。
【請求項７】
一本のレールが丸線であり、バチカンの基部に形成した穴部内に挿入されてスライド可能とした請求項１記載の装身具。
【考案の詳細な説明】
【技術分野】
【０００１】
本考案は、チェーン等に連結されて身体を飾る装身具に関するものであり、特にバチカンを移動可能とすることによってより優れた装身具としたものである。
【背景技術】
【０００２】
以下、本考案をペンダントを例として説明する。従来のペンダントは装飾体にバチカンを備えたものであり、このバチカンは装飾体に一度装着されればその位置を動かすことができない構造となっている。
【０００３】
図１に従来からあるペンダント１０の一例を示すが、装飾体１１に対し、特定の位置１２にバチカン１３をロー付け等によって固定するものである。このため、装飾体１１とバチカン１３の位置関係は、常に一定の関係を持つだけであり、かかるペンダント１０を身に着けた際には、装飾体１１の向きや姿勢は常に一定である。
【０００４】
即ち、バチカン１３に対して装飾体１１は常に同じ向きや姿勢であることから、目新しさも薄れ、飽きが来ることは否めず、長い間これを楽しむことがないのが通例である。
【考案の開示】
【考案が解決しようとする課題】
【０００５】
本考案は、前記した従来のペンダントの欠点を解消しようとするものであり、ペンダントを構成する装飾体とバチカンとの位置関係を固定せず、これを変えることができる構造としたものである。
【課題を解決するための手段】
【０００６】
本考案の要旨は、装飾体にバチカンを備えてなる装身具であって、当該装飾体にレールを備え、バチカンの基部をこのレールにスライド可能に嵌め込んだことを特徴とする装身具を提供するものである。
【０００７】
かかるレールは一対或いは一本レールであり、これに対し、バチカンの基部がレール間に挟まり、これを跨ぎ、或いは貫通する構造としてバチカンを装飾体に対してスライド可能としたものである。
【０００８】
そして、このレールを装飾体の裏側或いは側面に備え、バチカンをレールの長さ分だけスライド可能としたものである。
【考案の効果】
【０００９】
本考案によれば、レールに沿ってバチカンをスライドさせるものであり、レールに対するバチカンの位置によって装飾体の向きや姿勢を異ならせることができることとなったものである。このため、装身具として種々の変化がもたらされることとなったもので、例示したペンダント以外の全ての装身具として優れた効果を発揮するものである。
【考案を実施するための最良の形態】
【００１０】
本考案における装飾体に備えるレールは、一本又は二本のレールであって、バチカンの基部はこのレールを跨ぐか、貫通するか、レール間に内装されてスライド可能としたものである。バチカンはこのためレールが備えられた範囲でレールに沿ってスライドするものであり、このスライドされたバチカンの位置によって装飾体の向きや姿勢が変わるという特徴を発現するものである。
【００１１】
装飾体の裏面に備えたレールは、直線状であっても曲線状であっても良く、具体的には、交差する場合でも、円形の場合でもよい。勿論、ロー付け等によって装飾体と一体とされるが、レール全体をロー付けする必要はなく、場合によってはブリッジ状であっても良い。
【００１２】
一方、装飾体の側面に備えたレールにあっては、装飾体全集周に備えたものであっても、その一部に備えたものであっても良い。
【００１３】
レールに対応するバチカンは、二本のレールの場合にあっては、その基部が山形状になっており、一本のレールの場合には、二股に分かれた基部とされたものである。
尚、レールに対してバチカンを所望の箇所にて留める必要がある場合には、バチカンの接触するレール側に窪みを設けてスライドするバチカンの基部を納めたり、逆に突起を形成してこれまたバチカンの基部を納めて、一時的にバチカンを動かなくするような手段も採られ得る。
【実施例】
【００１４】
図２は本考案のペンダントＡの第１例を示す正面図であり、図３はその裏面図、図４は部分拡大図である。この例では、菱形状の装飾体１に対し、その裏面に二本の直線状のレール２Ａ、２Ａがロー付けされており、その間にバチカン３の山形の基部３ａ が内装されてスライド可能とされたものである。レール２ＡはいわゆるＣ型チャンネル材を用いたものであり、装飾体１の裏側にロー付けされている。そして、バチカン３の基部３ａがこのＣ型チャンネル材内に内装され、バチカン３をスライド可能としたものである。
【００１５】
そして、Ｃ型チャンネル材の内周面に窪み２ａを形成し、或いは、これとは逆の突起２ｂを形成し、これにバチカン３の基部３ａがスライドして嵌まり込んでバチカン３がこの位置で静止する。即ち、この窪み２ａ或いは突起２ｂをＣ型チャンネル（レール２Ａ）の所望の位置に形成し、バチカン３の静止・固定を可能としたものである。
【００１６】
図５は本考案のペンダントＢの第２例を示す裏面図であり、図６はその部分拡大図である。即ち、断面Ｔ字状をなす一本のレール２Ｂをロー付けし、これに二股に分かれた基部３ａを備えたバチカン３を嵌め込んでスライド可能としたものである。バチカン３の静止・固定は、第１例にて示した窪み２ａ又は突起２ｂを形成すればよい。
【００１７】
以上の例にあって、レール２Ａ、２Ｂはいずれも直線状のもので例示したが、勿論これに限定されるものではなく、Ｓ字状に形成したり、Ｙ字状に形成したりその形状は自由であり、場合によっては、十字状としたり、丸型とすることも可能であり、こうすることによって、装飾体の向きや姿勢を変え、装身具としての利用価値が飛躍的に向上することとなる。
【００１８】
図７は前記ペンダントBの第２例の変形例の正面図であり、図８はその裏面の斜視図である。この例ではレール２Bは断面丸型の線条体（丸線）にて構成され、基部３ａには、この丸線が挿入される穴部３ｂが形成され、スライド可能な構造となっている。
【００１９】
図９は本考案の第１例の変形例を示すものであり、装飾体は１に対して第２の装飾体１Ａが備えられたものであり、装飾体１Ａに立設したピン４に対して回転可能に装飾体１Ｂを取り付けたものである。従って、バチカン３がピン４側（１P側）にスライドされてここに固定された際には装飾体１と装飾体１Ａとが重なった状態となり、一方、バチカン３がピン４より遠い位置（１Q側）に固定された場合には、装飾体１Ｂがピン４に対して回転して開き、装飾体１と装飾体１Ａとが連結された状態となるもので、場合によっては３連以上の装飾体を連ねることも可能であり、装身具としてより複雑な、かつ、見栄えの良いものとなる。
尚、この例ではピン４にて例示したが、ピン４の代わりにマルカン状のものであってもよいことはいうまでもない。
【００２０】
図１０は本考案の第２実施例を示す正面図であり、図１１はその側面図である。この例は、ハート状の装飾体１の側面に二本のレール２Ａ、２Ａを備えたものである。従って、これと嵌め合わされるバチカン３はレール２Ａ、２Ａの長さに応じてスライド可能であり、装飾体１を図１２に示すように種々の姿勢に変化させることが可能となったものである。
勿論、レールは装飾体の全周ではなく、その一部であっても良く、又、バチカン３の固定も前述したような窪みや突起が採用できることは言うまでもない。
【産業上の利用可能性】
【００２１】
本考案は以上の通りであり、装身具としてその中心をなす装飾体の向きや姿勢を大きく変えることが可能となったものである。従って、ペンダントのみならずピアス、イヤリング等、全ての装身具に適用可能であり、その利用範囲は極めて広い。
【図面の簡単な説明】
【００２２】
【図１】図１に従来からあるペンダント１０の一例である。
【図２】図２は本考案のペンダントＡの第１例を示す正面図である。
【図３】図３は図２のペンダントの裏面図である。
【図４】図４は図２の部分拡大図である。
【図５】図５は本考案のペンダントＢの第２例を示す裏面図である。
【図６】図６は図５の部分拡大図である。
【図７】図７は本考案のペンダントＢの第２例の変形例を示す正面図である。
【図８】図８は図７の裏面斜視図である。
【図９】図９は本考案の第１例の変形例を示すものである。
【図１０】図１０は本考案のペンダントの第２実施例を示す正面図である。
【図１１】図１１は図１０のペンダントの側面図である。
【図１２】図１２は本考案の第２実施例の変化例を示す正面図である。
【符号の説明】
【００２３】
Ａ、Ｂ  ペンダント
１、１Ａ、１Ｂ  装飾体
２Ａ、２Ｂ  レール
２ａ  窪み
２ｂ  突起
３  バチカン
３ａ  バチカンの基部
３ｂ  バチカンの基部に形成した穴部
４  ピン
【図１】
0003146841.tif 000003
【図２】
0003146841.tif 000004
【図３】
0003146841.tif 000005
【図４】
0003146841.tif 000006
【図５】
0003146841.tif 000007
【図６】
0003146841.tif 000008
【図７】
0003146841.tif 000009
【図８】
0003146841.tif 000010
【図９】
0003146841.tif 000011
【図１０】
0003146841.tif 000012
【図１１】
0003146841.tif 000013
【図１２】
0003146841.tif 000014